【事件の表示】
　特許第２９５２１７２号「カラーフィルタの製造方法及び液晶パネルの製造方法」の請求項１ないし９に係る特許に対する特許異議の申立てについて、次のとおり決定する。
【結　論】
　特許第２９５２１７２号の請求項１ないし９に係る特許を維持する。
【理　由】
（１）本件発明
　特許第２９５２１７２号（平成６年１２月２１日出願、平成１１年７月９日設定登録）の請求項１ないし９に係る発明（以下「本件発明１」ないし「本件発明９」という。）は、それぞれ、その特許請求の範囲の各請求項に記載された以下のとおりのものである。
「【特許請求の範囲】
【請求項１】　基板上に、行又は列に沿って、複数の光透過部を形成するように遮光層を配置してなるブラックマトリクスを形成する第１の工程、
　前記基板上及び前記ブラックマトリクス上に、親水性高分子化合物を有するインク受容層を形成する第２の工程、
　表面張力が２０〜６０ｄｙｎｅ／ｃｍで、且つ、前記インク受容層表面との初期接触角が６０°以下となるインクをインクジェット方式により前記インク受容層に付与して、一行内又は一列内の複数の光透過部上及び遮光層上の前記インク受容層を一様に同一色で着色する第３の工程
を有することを特徴とするカラーフィルタの製造方法。
【請求項２】　インクとインクが付着する面との間で示される初期接触角が５０°以下である請求項１に記載のカラーフィルタの製造方法。
【請求項３】　インクの表面張力が２４〜５５ｄｙｎｅ／ｃｍの範囲にある請求項１に記載のカラーフィルタの製造方法。
【請求項４】　インクの表面張力が２８〜５０ｄｙｎｅ／ｃｍの範囲にある請求項１に記載のカラーフィルタの製造方法。
【請求項５】　インクの粘度が１．２〜２０ｃｐｓの範囲にある請求項１に記載のカラーフィルタの製造方法。
【請求項６】　インクの粘度が１．５〜１０ｃｐｓの範囲にある請求項１に記載のカラーフィルタの製造方法。
【請求項７】　インクの粘度が１．５〜８ｃｐｓの範囲にある請求項１に記載のカラーフィルタの製造方法。
【請求項８】　前記親水性高分子化合物が、ポリビニルアルコール、ポリビニルアセタール、ポリウレタン、カルボキシメチルセルロース、ポリエステル、ポリアクリル酸（エステル）、ヒドロキシエチルセルロース、ヒドロキシプロピルセルロース、メラミン樹脂、あるいはこれらの変性物の合成樹脂、アルブミン、ゼラチン、カゼイン、デンプン、カチオン化デンプン、アラビアゴム及びアルギン酸ソーダから少なくとも選択される請求項１に記載のカラーフィルタの製造方法。
【請求項９】　第１の基板に画素電極を形成する工程、
　請求項１〜８に記載の製造方法で製造されたカラーフィルタ上に透明電極を形成する工程、
　第１の基板と第２の基板を対向配置させ、その間隙に液晶化合物を封入する工程
を含むことを特徴とする液晶パネルの製造方法。」
（２）申立ての理由の概要
　特許異議申立人株式会社ディスクは、証拠として甲第１号証（特開平５−２４１０１２号公報）、甲第２号証（「日経マイクロデバイス」）、甲第３号証（特開平５−２５５６２３号公報）、甲第４号証（特開平１−２１７３０２号公報）、甲第５号証（特開平２−１５６２０２公報）を提出し、請求項１ないし９に係る発明は、特許法第２９条第２項の規定に違反して特許されたものであるから、特許を取り消すべきものである旨主張している。
（３）甲第１〜５号証記載の発明
　特許異議申立人の提出した甲第１〜５号証には、以下の発明が記載されている。
［甲第１号証］（特開平５−２４１０１２号公報）
　特許請求の範囲に、
「【請求項１】予めパターン化された画素間の遮光性部位が形成されている光透過性基板上に、露光部が現像工程で除去される感光性樹脂層およびシリコーンゴム層をこの順に積層し、予めパターン化された画素間の遮光性部位より狭い遮光パターンを有する光学マスクを上記基板上の遮光性部位に合致させてシリコーンゴム層上に直接または一定の間隔をおいて設置して露光処理を行い、続いて現像処理を行って作製した開口部にインクジェット法、転写法および印刷法のうち少なくとも１つにより赤、緑、青の三原色の着色を行うことを特徴とする液晶表示用カラーフィルタの製造方法。
【請求項２】予めパターン化された画素間の遮光性部位が形成されている光透過性基板上に、着色剤を受容する下地層を設けることを特徴とする請求項１記載の液晶表示用カラーフィルタの製造方法。
【請求項３】光透過性基板上に設けた下地層が可染性媒体層であり、染料をインクジェット法または転写法で供給して着色することを特徴とする請求項１記載の液晶表示用カラーフィルタの製造方法。
【請求項４】光透過性基板上に設けた下地層が染料含有インキまたは顔料含有インキに親和性を有し、染料含有インキまたは顔料含有インキをインクジェット法または印刷法で供給して着色することを特徴とする請求項１記載の液晶表示用カラーフィルタの製造方法。」
と記載されると共に、
遮光性部位を構成するブラックマトリックスに関して、
「本発明で形成される光透過性基板上の遮光性部位を構成するブラックマトリックスは、例えば、クロムのスパッタリング、レジスト塗布、パターン露光、現像およびべーキング、クロムのエッチング、そしてレジストの除去の手順で形成される。そのパターン形状は、要求によりストライプ状、格子状など任意に選択できる。」（【０００７】）
と記載され、また、
液晶表示用カラーフィルタの製造工程に関しては、
「本発明の液晶表示用カラーフィルタの製造工程について示す。クロム膜ブラックマトリックスが形成されたガラス基板の上に必要に応じて着色剤を受容する効果を有する下地層、可染性媒体層となる下地層、あるいはインキに親和性を有する下地層を設置する。ここでの下地層は、基板表面と着色インキとの間に介在して、インキ組成物の基板表面への接着、染料の受容などの作用を果たすものである。…。ゼラチンに重クロム酸塩を加えて感光性とした膜が酸性染料の可染性媒体層として利用される。…。さらに、下地層は、顔料と膜形成成分あるいは染料と膜形成成分とからなる顔料インキや染料インキを着色成分に用いる場合には、これらのインキが基板上での均一な広がりを示すなどの塗膜形成を円滑にし、基板上への接着性を向上させるために設けられる。」（【００１１】）
と記載され、また、
ブラックマトリックスと仕切り壁との関係については、
「ブラックマトリックスは赤、緑、青のそれぞれの画素のコントラストを高めるためストライプ状、モザイク状、格子状などに形状で作製されているが、その幅は狭いところでは数μｍであり、広いところでは１００μｍ程度になる。これらブラックマトリックスは、例えばクロム薄膜をフォトリソグラフィの技術を適用して作製できる。本発明では、ブラックマトリックスと合致した位置にブラックマトリクの幅より僅かに狭いサイズのシリコーンゴム表層仕切り壁を作製し、着色ブラックマトリックスとなる開口部をブラックマトリックスに挟まれた間隙より僅かに広くして着色することを特徴とする。そのため、仕切り壁を作製するための露光用のマスクの線幅をブラックマトリックスの幅より僅かに狭くしたものを用いる。狭くする比率は、任意に選択できるが、両サイドそれぞれ５−１５％程度とすることができるが、ブラックマトリックスのもともとの幅により適性化が必要であり、絶対値で数μｍ程度であってもよい。この様に設計されたマスクを介して露光して現像してシリコーンゴム表層の仕切り壁を作製できる。」（【００１３】）
と記載され、また、
「また、基板上に予め可染性媒体層を設けている場合には、インクジェット法で染料を噴射して染色する方法…で染色する方法が利用できる。」（【００１４】）
と記載されている。
　そして、実施例１には、
「図１は線幅４０μ、間隔１００μのストライプ状にパターン化されたクロムの遮光性部位を有するガラスを示すものである。１がガラス基板、２がクロムブラックマトリックスである。」（【００１７】）
「画素の位置が、僅かにずれた場合（図６）においても、仕切り壁より僅かに幅広いブラックマトリックスでその間隙は隠され、問題のない品質のカラーフィルターを得ることができた。」（【００２２】）
と記載されると共に、
実施例２には、
「実施例１において、線幅４０μ、間隔１００μの線状にパターン化されたクロムの遮光性部位を有するガラス基板上にあらかじめ次の組成よりなる水溶箆感光材料をスピナーで塗布し、乾燥した後全面露光で架橋させて厚さ１０μｍの可染性媒体層を形成しておいた。
　〔可染性媒体層の組成〕
　　水　　　　　　　　　　　　　　　　　　　　　　　　１００重量部
　　低分子量ゼラチン（平均分子量２０，０００）　　　　　１８重量部
　　重クロム酸アンモニウム　　　　　　　　　　　　　　　　２重量部
その後実施例１と同様の手順で感光性樹脂塗布、接着層塗布、シリコーンゴム塗布、パターン露光、現像を行い、可染性媒体層の上にシリコーンの仕切り壁を形成した。
　仕切り壁に囲まれた可染性媒体層に、次の組成の酸性染料を含むインキ・・をインクジェット法で噴射して赤、青、緑に染色した。
　〔インキ組成〕
　　水　　　　　　　　　　　　　　　　　　　　　　　　１００重量部
　　酢酸　　　　　　　　　　　　　　　　　　　　　　　　１２重量部
　　酸性染料　　　　　　　　　　　　　　　　　　　　　　　３重量部
　シリコーンゴムの仕切り壁によるインキの反発は良好であり、惨みのない高品質のカラーフィルターを得ることができた。」（【００２３】〜【００２５】）
と記載され、また、
実施例３には、
「この様にして得られたカラーフィルタは空気中で２５０℃、１Ｈｒ加熱しても色の変化がなく、また有機溶媒、酸、アルカリにも十分な耐性を有していた。」（【００２９】）
と記載され、また、
発明の効果において、
「本発明は、…インクジェット法によってカラーフィルターを製造する場合にも、インクの惨みや混色を確実に防ぐことができる。これによって…インクジェット法を用いて、非常に安価で高精度なカラーフィルターを得ることができる。また、着色部となる開口部をブラックマトリックスに挟まれた間隙より僅かに広くして着色するために、…インクジェットによる着色過程で位置ずれの許容幅が広く、そのためより容易にカラーフィルターの製造ができる。」（【００３０】）
と記載されている。
［甲第２号証］（「日経マイクロデバイス」１９９２年８月号、１頁（表紙）、３頁（目次）、６頁、２４頁、２５頁、裏表紙、１９９２年８月１日、日経ＢＰ社発行）
　１頁（表紙）に関する説明として、３頁にカラーフィルタであることが記載され、また、２４頁、２５頁の図示から明らかなように、ストライプ状パターンが複数の光透過部から形成され、その複数の光透過部が一様に同一色で着色されたカラーフィルタが記載されている。
［甲第３号証］（特開平５−２５５６２３号公報）
　特許請求の範囲に、
「【請求項１】液滴を転写体に付着し、これを転写して被記録材に記録する転写式インクジェット記録液であって、転写体と記録液の初期接触角が３０〜７０°の範囲にあることを特徴とする転写式インクジェット記録液。
【請求項２】２５℃における記録液の表面張力が３０〜６０ｍＮ／ｍ、粘度が１．５〜１０ｍＰａ・ｓの範囲にあることを特徴とする請求項１記載の転写式インクジェット記録液。」
と記載されると共に、記録液に関して、
「上記記録液の液滴の溶剤成分、界面活性剤成分を変えることにより、転写体に対して、３０〜７０°の範囲の接触角に設定すると、記録液のドット形状を安定に形成し、また、吐出した記録液のドットが広がること無しに良好なドット形成が出来た。
　また、記録液の液滴を転写体に対して、接触角７０°より大きく設定した場合、液滴が転写体上を流動し、ドットを形成したい部位にドット形成をせず、」（【００１６】、【００１７】）
と記載されている。
　また、実施例には、水系インキからなる記録液が作成されると共に、作成した記録液を用いて、ピエゾ電圧により記録液を吐出させるインクジェットプリンタに充填し、各種高分子フイルムに印字したこと（【００２１】）、そして、
表１には、記録液と転写体（シリコンフイルム）との接触角、ドット形状が記載され、接触角（°）として、６０°以下の測定結果の記載と共に、
「ここで記した初期接触角と記録液の液滴が転写体に付着した時の接触角を示す。」（【００２７】）
と記載され、また、
表面張力、粘度に関して、
「また、本発明で用いる記録液について、様々な表面張力、粘度のものを作成し、インクジェットプリンタにて吐出、ドット形状の実験を行ったところ、２５°における表面張力が３０〜６０ｍＮ／ｍ、粘度が１．５〜１０ｍＰａ・ｓの範囲にあるものが良好に吐出し、記録液のドット形状も良好であった。」（【００２８】）
と記載されている。
［甲第４号証］（特開平１−２１７３０２号公報）
　特許請求の範囲に、
「光透過性基板と、この光透過性基板上に所定の規則性がある開口部を有するように形成され且つ樹脂膜を黒色染料で染色してなる遮光膜と、前記開口部にインクジェット法により形成されたカラーフィルターとを備えたことを特徴とするカラーフィルター基板。」
と記載されると共に、明細書には、
「…第１図（ｅ）に示すように、表面を平滑化するためのアクリル系の熱硬化性透明樹脂（７）を前面に塗布し、ベーキング処理を行う。そして、インクジェット法により、第１図（ｆ）に示すように、赤（Ｒ）、緑（Ｇ）及び青（Ｂ）の染料を所定の開口部（４）に相当する部分に形成してカラーフィルター（８）を構成するインクをべーキングにより固定し、第１図（ｇ）に示すように、透明導電膜形成のためのオーバーコート層（９）を塗布し固化させることにより所望のカラーフィルタ基板が得られる。」（３頁左上欄末行〜同右上欄１１行）
と記載されている。
［甲第５号証］（特開平２−１５６２０２公報）
　特許請求の範囲第１項に、
「（１）透明性基体上に予めブラックマスクパターンを形成させたのち、該パターン以外の前記基体上の所定箇所にインクをインクジェット方式にて吹き付け透明部分を着色することによりカラーパターンを形成することを特徴とするカラーフィルターの製造方法。」
と記載されている。
（４）対比・判断
(1)本件発明１について
　本件発明１と甲第１号証記載の発明とを比較すると、甲第１号証記載の発明は、本件発明が具備する「一行内又は一列内の複数の光透過部上及び遮光層上の前記インク受容層を一様に同一色で着色する」構成、及び「表面張力が２０〜６０ｄｙｎｅ／ｃｍで、且つ、前記インク受容層表面との初期接触角が６０°以下となるインクをインクジェット方式により前記インク受容層に付与」する構成を具備していない。
　また、かかる点は、甲第２〜５号証のいずれにも記載されていない。
　すなわち、甲第１号証には、「本発明では、ブラックマトリックスと合致した位置にブラックマトリクの幅より僅かに狭いサイズのシリコーンゴム表層仕切り壁を作製し、着色ブラックマトリックスとなる開口部をブラックマトリックスに挟まれた間隙より僅かに広くして着色することを特徴とする。」（【００１３】）との記載があるが、この場合シリコーンゴム表層仕切り壁が形成された部位のブラックマトリクスは着色されないから、たとえ、甲第１号証記載の発明において甲第２号証記載の発明におけるような一列内の複数の光透過部が一様に同一色で着色されたストライプ状パターンのカラーフィルターを形成したとしても、遮光層上には一様に着色されない部分が残るので、本件発明１の「一行内又は一列内の複数の光透過部上及び遮光層上の前記インク受容層を一様に同一色で着色する」構成とはならないし、そのような構成の示唆もない。この点は、甲第３号証ないし甲第４，５号証の存在によっても変わらない。
　また、甲第３号証には、転写式インクジェット記録液について、特許請求の範囲に、「転写体と記録液の初期接触角が３０〜７０°の範囲にあること」（請求項１）、「２５℃における記録液の表面張力が３０〜６０ｍＮ／ｍの範囲にあること」（請求項２）の記載があるが、甲第３号証に記載されたインクは、液滴を転写体に付着し、これを転写して被記録材に記録する転写式インクジェット記録液であって、インクのしみ込み難い転写体に対するものであるから、本件発明１の「親水性高分子化合物を有するインク受容層表面」に対するものとは技術的意味合いの異なるものであって、甲第３号証に「親水性高分子化合物を有するインク受容層表面との初期接触角が６０°以下となるインク」が開示されているとは認められない。他の甲号証には、初期接触角や表面張力についての記載はない。
　そして、本件発明１は、上記の構成を採用することにより、くびれやちぎれによる白ぬけの発生を防止するという作用効果を生じるものと認められる。したがって、本件発明は、甲第１〜５号証に記載された発明に基づいて当業者が容易に発明できたものでない。
(2)本件発明２〜９について
　本件発明２〜９は、本件発明１を更に限定したものであるから、上記本件発明１についての判断と同様の理由により、甲第１〜５号証に記載された発明に基づいて当業者が容易に発明できたものでない。
(3)特許異議申立人の主張について
　特許異議申立人は、甲１号証に記載された発明は、「一行内又は一列内の光透過部上及び遮光層上のインク受容層を一様に同一色で着色する」ものである点を主張しているが、上記したようにシリコーンゴム表層仕切り壁が形成された部位のブラックマトリクスは着色されないから、一行内又は一列内の複数の光透過部上及び遮光層上のインク受容層を一様に同一色で着色しようとしても遮光層上には一様に着色されない部分が残るので、かかる主張は採用できない。
（５）むすび
　したがって、特許異議申立ての理由及び証拠によっては、請求項１〜９に係る発明の特許を取り消すことはできない。　
　また、他に請求項１〜９に係る発明の特許を取り消すべき理由を発見しない。
  よって、結論のとおり決定する。
【異議決定日】
平成１２年９月２６日（２０００．９．２６）